(57)【特許請求の範囲】
【請求項１】
各々に供給された入力音声信号に対して、音質調節またはゲイン調節を行い、その結果である主系統信号と、ダイレクトアウト信号と、複数系統のＭＩＸセンド信号とを出力する複数の入力チャンネル調整部と、
前記各入力チャンネル調整部から出力された前記各主系統信号をミキシングする主系統バスと、
前記各入力チャンネル調整部から出力された前記各ＭＩＸセンド信号をミキシングする複数のＭＩＸバスと、
前記主系統バスにおけるミキシング結果に対して音質調節またはゲイン調節を行い、その結果である主系統出力信号を出力する主系統出力調整部と、
前記各ＭＩＸバスにおけるミキシング結果に対して音質調節またはゲイン調節を行い、その結果であるＭＩＸ出力信号を出力するＭＩＸ出力調整部と、
前記主系統出力信号と前記ＭＩＸ出力信号と前記ダイレクトアウト信号とを複数の出力ポートのうち何れかに任意に割り当てる出力パッチ部と
を有し、
前記各入力チャンネル調整部は、各々、前記主系統信号を生成する一の主系統部と、前記各ＭＩＸセンド信号を生成する複数のＭＩＸセンド部と、前記ダイレクトアウト信号を生成するダイレクトアウト設定部とを有するものであり、
前記各主系統部は、
入力された音声信号に対してフィルタリング処理を行うフィルタ部と、
該フィルタ部から出力された音声信号のゲイン調節を行う主系統ゲイン調節部と、
該主系統ゲイン調節部から出力された音声信号を前記主系統バスに供給するか否かを切り替える主系統オンオフ部と
を有するものであり、
前記各ダイレクトアウト設定部は、
前記主系統部における信号のうち前記フィルタ部に対する入力信号と、前記主系統ゲイン調節部に対する入力信号とを少なくとも含む複数の信号の中から一の音声信号を選択する信号選択部と、
該信号選択部において選択された音声信号に対して、前記主系統ゲイン調節部のゲインに連動して増減するゲインを付与する連動ゲイン設定部と、
該信号選択部において選択された音声信号に対して、前記主系統オンオフ部のオン／オフ状態に連動してオン／オフ状態を設定する連動オンオフ部と
を有するものであることを特徴とするミキサ。
【請求項２】
前記連動オンオフ部において設定されるオン／オフ状態は前記主系統オンオフ部において設定されるオン／オフ状態と同一であり、
前記連動ゲイン設定部において設定されるゲインは前記主系統ゲイン調節部において設定されるゲインと同一であり、
前記各ダイレクトアウト設定部は、
前記連動オンオフ部におけるオン／オフ状態とは独立してオン／オフ状態を設定可能な独立オンオフ部と、
前記連動ゲイン設定部におけるゲインとは独立してゲインを設定可能な独立ゲイン設定部と
を各々有し、
前記ダイレクトアウト信号のオン／オフ状態は、前記独立オンオフ部と前記連動オンオフ部とが共にオン状態であるときにオン状態になるとともに、前記独立オンオフ部と前記連動オンオフ部とのうち少なくとも一方がオフ状態であるときにオフ状態になり、
前記ダイレクトアウト信号に付与されるゲインは、前記独立ゲイン設定部に設定されるゲインと前記連動ゲイン設定部に設定されるゲインとを合せた値になる
ことを特徴とする請求項１記載のミキサ。
【請求項３】
前記ダイレクトアウト設定部は、
前記連動オンオフ部の有効／無効状態を設定する連動オンオフ可否選択手段と、
前記連動ゲイン設定部の有効／無効状態を設定する連動ゲイン可否選択手段と
をさらに有することを特徴とする請求項１または２記載のミキサ。
【発明の詳細な説明】
【技術分野】
【０００１】
本発明は、コンサートホールまたはレコーディングスタジオ等における音声信号のミキシングに用いて好適なミキサに関する。
【背景技術】
【０００２】
コンサートホール等において使用されるミキサにおいては、入力チャンネルから供給される様々な音声信号に対してエフェクト処理やミキシング処理が施されることにより、一般参加者向けに放音される主系統の音声信号（以下、FOH (Front of house)用音声信号という）が生成される。さらに、ミキサからは、出演者のモニタリング用の音声信号や、レコーディング用の音声信号等も出力される。ここで、モニタリング用の音声信号は、各出演者の役割や要望に応じて、FOH用音声信号とは異なったエフェクト処理やミキシング処理が施されることが一般的である。また、レコーディング用の音声信号としては、エフェクト処理やミキシング処理がほとんど反映されていない音声信号を供給することが一般的である。
【０００３】
FOH用音声信号を生成するためには、入力された音声信号に対して各種のフィルタリング処理が施されるため、モニタ用またはレコーディング用の音声信号を生成するためには、FOH用音声信号を生成する途中段階の信号を分岐し、それ以降は、FOH用とは別系統の音声信号として各種処理を施すことが一般的である。そのため、非特許文献１等に記載されたミキサにおいては、FOH用音声信号を生成する途中段階の信号を分岐して他の用途に用いることができる。
【先行技術文献】
【非特許文献】
【０００４】
【非特許文献１】「PM5D/PM5D-RH V2 DSP5D 取扱説明書」  ヤマハ株式会社，２００４年
【発明の概要】
【発明が解決しようとする課題】
【０００５】
ところで、FOH用音声信号を生成するにあたっては、フェーダによって音声信号のレベルが調整されるが、フェーダ以前の段階から分岐させた信号に対しては、フェーダレベルは反映されないことになる。しかし、モニタ用の音声信号またはレコーディング用の音声信号を効率的に生成するためには、これらの音声信号に対して、FOH用音声信号のオン／オフ状態およびフェーダレベルを反映させた方が望ましい場合がある。
この発明は上述した事情に鑑みてなされたものであり、モニタ用またはレコーディング用の音声信号に対して、必要に応じて主系統のオン／オフ状態またはフェーダレベルを反映させることができるミキサを提供することを目的としている。
【課題を解決するための手段】
【０００６】
上記課題を解決するため本発明にあっては、下記構成を具備することを特徴とする。なお、括弧内は例示である。
請求項１記載のミキサにあっては、各々に供給された入力音声信号に対して、音質調節またはゲイン調節を行い、その結果である主系統信号（ＳＬ−１〜ＳＬ−１２８，ＳＲ−１〜ＳＲ−１２８）と、ダイレクトアウト信号（ＳＤ−１〜ＳＤ−１２８）と、複数系統のＭＩＸセンド信号（ＳＳ−１−１〜ＳＳ−１２８−１６）とを出力する複数の入力チャンネル調整部（１１２−１〜１１２−１２８）と、前記各入力チャンネル調整部（１１２−１〜１１２−１２８）から出力された前記各主系統信号（ＳＬ−１〜ＳＬ−１２８，ＳＲ−１〜ＳＲ−１２８）をミキシングする主系統バス（１１８）と、前記各入力チャンネル調整部（１１２−１〜１１２−１２８）から出力された前記各ＭＩＸセンド信号（ＳＳ−１−１〜ＳＳ−１２８−９６）をミキシングする複数のＭＩＸバス（１１６−１〜１１６−９６）と、前記主系統バス（１１８）におけるミキシング結果に対して音質調節またはゲイン調節を行い、その結果である主系統出力信号（Ｌout，Ｒout）を出力する主系統出力調整部（１２０）と、前記各ＭＩＸバス（１１６−１〜１１６−９６）におけるミキシング結果に対して音質調節またはゲイン調節を行い、その結果であるＭＩＸ出力信号を出力するＭＩＸ出力調整部（１２２）と、前記主系統出力信号（Ｌout，Ｒout）と前記ＭＩＸ出力信号と前記ダイレクトアウト信号（ＳＤ−１〜ＳＤ−１２８）とを複数の出力ポート（４，７，１０）のうち何れかに任意に割り当てる出力パッチ部（１２６）とを有し、前記各入力チャンネル調整部（１１２−１〜１１２−１２８）は、各々、前記主系統信号（ＳＬ−１〜ＳＬ−１２８，ＳＲ−１〜ＳＲ−１２８）を生成する一の主系統部（１５０−１〜１５０−１２８）と、前記各ＭＩＸセンド信号（ＳＳ−１−１〜ＳＳ−１２８−１６）を生成する複数のＭＩＸセンド部（１９０−１−１〜１９０−１２８−９６）と、前記ダイレクトアウト信号（ＳＤ−１〜ＳＤ−１２８）を生成するダイレクトアウト設定部（１７０−１〜１７０−１２８）とを有するものであり、前記各主系統部（１５０−１〜１５０−１２８）は、入力された音声信号に対してフィルタリング処理を行うフィルタ部（１５２，１５３，１５４）と、該フィルタ部（１５２，１５３，１５４）から出力された音声信号のゲイン調節を行う主系統ゲイン調節部（１６０）と、該主系統ゲイン調節部（１６０）から出力された音声信号を前記主系統バス（１１８）に供給するか否かを切り替える主系統オンオフ部（１６２）とを有するものであり、前記各ダイレクトアウト設定部（１７０−１〜１７０−１２８）は、前記主系統部（１５０−１〜１５０−１２８）における信号のうち前記フィルタ部（１５２，１５３，１５４）に対する入力信号（Pre_HPF）と、前記主系統ゲイン調節部（１６０）に対する入力信号（Pre_Fader）とを少なくとも含む複数の信号の中から一の音声信号を選択する信号選択部（１７２）と、該信号選択部（１７２）において選択された音声信号に対して、前記主系統ゲイン調節部（１６０）のゲインに連動して増減するゲインを付与する連動ゲイン設定部（１８０）と、該信号選択部（１７２）において選択された音声信号に対して、前記主系統オンオフ部（１６２）のオン／オフ状態に��動してオン／オフ状態を設定する連動オンオフ部（１７６）とを有するものであることを特徴とする。
さらに、請求項２記載の構成にあっては、請求項１記載のミキサにおいて、前記連動オンオフ部（１７６）において設定されるオン／オフ状態は前記主系統オンオフ部（１６２）において設定されるオン／オフ状態と同一であり、前記連動ゲイン設定部（１８０）において設定されるゲインは前記主系統ゲイン調節部（１６０）において設定されるゲインと同一であり、前記各ダイレクトアウト設定部（１７０−１〜１７０−１２８）は、前記連動オンオフ部（１７６）におけるオン／オフ状態とは独立してオン／オフ状態を設定可能な独立オンオフ部（１７３）と、前記連動ゲイン設定部（１８０）におけるゲインとは独立してゲインを設定可能な独立ゲイン設定部（１７４）とを各々有し、前記ダイレクトアウト信号（ＳＤ−１〜ＳＤ−１２８）のオン／オフ状態は、前記独立オンオフ部（１７３）と前記連動オンオフ部（１７６）とが共にオン状態であるときにオン状態になるとともに、前記独立オンオフ部（１７３）と前記連動オンオフ部（１７６）とのうち少なくとも一方がオフ状態であるときにオフ状態になり、前記ダイレクトアウト信号（ＳＤ−１〜ＳＤ−１２８）に付与されるゲインは、前記独立ゲイン設定部（１７４）に設定されるゲインと前記連動ゲイン設定部（１８０）に設定されるゲインとを合せた値になることを特徴とする。
さらに、請求項３記載の構成にあっては、請求項１または２記載のミキサにおいて、前記ダイレクトアウト設定部（１７０−１〜１７０−１２８）は、前記連動オンオフ部（１７６）の有効／無効状態を設定する連動オンオフ可否選択手段（１７８）と、前記連動ゲイン設定部（１８０）の有効／無効状態を設定する連動ゲイン可否選択手段（１８２）とをさらに有することを特徴とする。
【発明の効果】
【０００７】
本発明によれば、連動ゲイン設定部は、信号選択部において選択された音声信号に対して、主系統ゲイン調節部のゲインに連動して増減するゲインを付与し、連動オンオフ部は、該信号選択部において選択された音声信号に対して、主系統オンオフ部のオン／オフ状態に連動してオン／オフ状態を設定するから、モニタ用またはレコーディング用の音声信号に対して、必要に応じて主系統のオン／オフ状態またはフェーダレベルを反映させることができる。
【図面の簡単な説明】
【０００８】
【図１】本発明の一実施例のデジタルミキサ１のブロック図である。
【図２】デジタルミキサ１のアルゴリズムのブロック図である。
【図３】該アルゴリズムの要部のブロック図である。
【発明を実施するための形態】
【０００９】
1．実施例のハードウエア構成
次に、本発明の一実施例のデジタルミキサ１のハードウエア構成を図１を参照し説明する。
図において２はＡＤコンバータであり、外部から入力された複数系統のアナログ音声信号をデジタル音声信号に変換し、音声バス８を介して供給する。４はＤＡコンバータであり、音声バス８を介して供給された複数系統のデジタル音声信号をアナログ音声信号に変換し出力する。６はデジタル入力部であり、外部から供給された複数系統のデジタル音声信号を内部用のフォーマットのデジタル音声信号に変換し、音声バス８を介して出力する。７はデジタル出力部であり、音声バス８を介して供給された複数系統のデジタル音声信号を、外部機器用のフォーマット（ＡＥＳ／ＥＢＵ，ＡＤＡＴ，ＴＡＳＣＡＭ等）のデジタル音声信号に変換し、該外部機器に出力する。１０はエフェクタ群であり、音声バス８上の音声信号のうち指定されたものに対してエフェクト処理を施し、音声バス８を介して出力する。１２はＤＳＰ（デジタル・シグナル・プロセッサ）であり、指定されたミキシングアルゴリズムに基づいて、音声バス８上の音声信号に対してイコライジング処理やミキシング処理を施し、その結果を音声バス８を介して出力する。
【００１０】
１８は通信Ｉ／Ｏ部であり、外部機器から供給された制御信号を通信インタフェース１６および通信バス１４を介して出力するとともに、通信バス１４および通信インタフェース１６を介して供給された制御信号を外部機器に対して出力する。２２は操作子群であり、電動フェーダ、ノブおよびＬＥＤキー等の操作子から構成される。２０は検出／制御インタフェースであり、これら操作子の操作状態を検出し、通信バス１４を介して出力するとともに、通信バス１４を介してこれら操作子に設定すべき操作状態（例えば電動フェーダおよびノブの操作量、ＬＥＤキーのオン／オフ状態）を受信すると、その内容を操作子群２２に反映させる。２６はタッチパネルであり、例えば「１０２４×７６８」程度の解像度を有するフラットパネルディスプレイと、該フラットパネルディスプレイの表面に貼付されたタッチセンサとによって構成されている。２４は操作／表示インタフェースであり、通信バス１４を介して指定された画像をタッチパネル２６に表示するとともに、タッチセンサにて検出された操作情報を通信バス１４を介して出力する。２８はＣＰＵであり、ＲＯＭ３０に記憶された制御プログラムに基づいて、通信バス１４を介して各部を制御する。３２はＲＡＭであり、ＣＰＵ２８のワークメモリとして使用される。
【００１１】
2．ミキシングアルゴリズム構成
次に、ＤＳＰ１２等において実現されるアルゴリズムの内容を図２を参照し説明する。なお、当該アルゴリズムはＤＳＰ１２に設定されるプログラムによって実現されるものであり、該プログラムは、ＣＰＵ２８の制御の下、ＲＯＭ３０等からＤＳＰ１２にロードされる。図２において構成要素１０８〜１２６は、ＤＳＰ１２およびここにロードされたプログラムによって実現される。
【００１２】
１１２−１〜１１２−１〜１２８は「１２８」チャンネルの入力チャンネル調整部であり、以下これらを総称して「入力チャンネル調整部１１２」という。各入力チャンネル調整部１１２−１〜１１２−１〜１２８においては、対応する電動フェーダおよびノブ等の操作に基づいて、対応する入力チャンネルの音声信号に対して音量・音質等の調整を行う。一の入力チャンネル調整部１１２−Ｎ（但し、１≦Ｎ≦１２８）において音量・音質等が調節された音声信号は、「１」系統のステレオ信号、「９６」系統のＭＩＸセンド信号、および「１」系統のダイレクトアウト信号として、後述する各要素に供給される。１０８は入力パッチ部であり、ＡＤコンバータ２、デジタル入力部６等の複数の入力ポートから供給されたデジタル音声信号を、入力チャンネル調整部１１２の任意の入力チャンネルに割り当てる。エフェクタ群１０は、最大「１６」ユニットのエフェクタから成り、供給された音声信号に対して、リバーブ、ディレイ、モジュレーション等のエフェクト処理を施し、その結果を入力パッチ部１０８を介して何れかの入力チャンネル調整部に供給する。
【００１３】
１１６はＭＩＸバス群であり、「９６」系統のＭＩＸバスから構成されている。以下、各ＭＩＸバスを「ＭＩＸバス１１６−Ｍ」（但し、１≦Ｍ≦９６）のように表記する。各ＭＩＸバス１１６−Ｍにおいては、各入力チャンネル調整部１１２−１〜１１２−１２８から当該ＭＩＸバスに供給されたＭＩＸセンド信号がミキシングされる。１１８はステレオバスであり、「１」系統のステレオバスから構成されている。「１」系統のステレオバスの構成は「２」系統の上記ＭＩＸバスと同様である。ステレオバス１１８においては、各入力チャンネル調整部１１２−１〜１１２−１２８から供給されたステレオ信号がミキシングされる。１１７はＤＣＡ制御部であり、各入力チャンネル調整部１１２−１〜１１２−１２８からステレオバス１１８に供給される音声信号のうち一部に対してゲインを付与する。
【００１４】
ここで、ＤＣＡ制御部１１７の機能を説明しておく。まず、「ＤＣＡ（Ditigal Controlled Amplifier または Ditigal Controlled Attenuator」とは、複数の入力チャンネル等に対して、各入力チャンネル等のフェーダとは別の共通のフェーダ（ＤＣＡフェーダ）を割り当て、該ＤＣＡフェーダによって設定されたゲインを、各入力チャンネル等に対して共通に付与することをいう。ＤＣＡは、主として、ピアノ、ドラムなどの大型の楽器や、例えばオーケストラの一部のパートの音量制御に用いられる。一般的にピアノ等、大型の楽器の演奏音は複数本のマイクによって集音される。これら複数のマイクの音声信号は、バランス調節を行うために各々個別の入力チャンネル等に割り当てられる。そして、これら入力チャンネル等が一のＤＣＡフェーダに割り当てられるのである。これにより、個々のマイクから集音された音声信号相互間のバランスは各入力チャンネル等のフェーダによって調節され、楽器全体としての音量はＤＣＡフェーダによって調節されるのである。従って、ＤＣＡ制御部１１７においては、何れかのＤＣＡフェーダに割り当てられている入力チャンネルのみに対して、当該ＤＣＡフェーダに設定されたゲインが付与され、何れのＤＣＡフェーダにも割り当てられいない入力チャンネルの音声信号は、特に処理されることなく（換言すれば０[ｄＢ]のゲインが付与され）ステレオバス１１８に供給される。
【００１５】
１２０はステレオ出力チャンネル部であり、ステレオバス１１８におけるミキシング結果のレベル調節および音質調節を行なう。１２２はＭＩＸ出力チャンネル部であり、上記各ＭＩＸバス１１６−１〜１１６−９６におけるミキシング結果のレベル調節および音質調節を行なう。１２６は出力パッチ部であり、ステレオ出力チャンネル部１２０の出力信号、ＭＩＸ出力チャンネル部１２２の出力信号、および入力チャンネル調整部１１２−１〜１１２−１２８から出力されたダイレクトアウト信号を、ＤＡコンバータ４またはデジタル出力部７の任意の出力ポートまたはエフェクタ群１０の任意のユニットに割り当てる。
【００１６】
次に、第１入力チャンネルに対応する入力チャンネル調整部１１２−１におけるアルゴリズム構成の詳細を図３を参照し説明する。図３において入力チャンネル調整部１１２−１は、主系統部１５０−１と、ダイレクトアウト設定部１７０−１と、第１〜第９６ＭＩＸセンド設定部１９０−１−１〜１９０−１−９６とから構成される。但し、第２〜第９６ＭＩＸセンド設定部１９０−１−２〜１９０−１−９６の構成は第１ＭＩＸセンド設定部１９０−１−１と同様であるため、図示を省略する。主系統部１５０において、１５２はハイパスフィルタ部であり、主として低域ノイズを除去するために設けられている。１５３はローパスフィルタ部であり、主として高域ノイズを除去するために設けられている。
【００１７】
１５４はパラメトリックイコライザ部であり、フィルタ部１５２，１５３を経由した音声信号に対して、音質調整を行う。すなわち、該音声信号は高域、中高域、中低域および低域の４バンドに帯域分割され、各帯域毎に、バンドパスフィルタ、ローパスフィルタ、ハイパスフィルタ、またはシェルビングフィルタによって周波数特性が調整される。１５６はダイナミクス設定部であり、音声信号のダイナミックレンジの伸長／圧縮処理を行う。１５８はディレイ部であり、指定された時間だけ音声信号を遅延させる。１６０はフェーダ部であり、音声信号に付与されるゲインを操作する。このフェーダ部１６０に設定されるゲインは、操作子群２２に設けられた電動フェーダのうち、当該チャンネルに割り当てられたものによって調節される。
【００１８】
１６２はオン／オフ設定部であり、フェーダ部１６０から出力された音声信号をＤＣＡ制御部１１７を介してステレオバス１１８に供給する場合はオン状態に設定され、供給しない場合（無音にする場合）はオフ状態に設定される。このオン／オフ設定部１６２に設定されるオン／オフ状態は、操作子群２２に設けられたＬＥＤキーのうち、当該チャンネルに割り当てられたものによって切り替えられる。１６４はＰＡＮ設定部であり、該音声信号をステレオバス１１８に供給する際の左右の音量バランスを設定し、その結果を左信号ＳＬ−１，右信号ＳＲ−１としてＤＣＡ制御部１１７に供給する。ここで、上記主系統部１５０−１において、ハイパスフィルタ部１５２への入力信号をPre_HPF、パラメトリックイコライザ部１５４への入力信号をPre_PEQ、ダイナミクス設定部１５６への入力信号をPre_Dyna、ディレイ部１５８への入力信号をPre_Delay、フェーダ部１６０への入力信号をPre_Fader、フェーダ部１６０の出力信号をPost_Fader、オン／オフ設定部１６２の出力信号をPost_Onと呼ぶ。
【００１９】
次に、ダイレクトアウト設定部１７０−１において、１７２はセレクタであり、ユーザの選択操作に基づいて、上記各信号Pre_HPF，Pre_PEQ，Pre_Dyna，Pre_Delay，Pre_Fader，Post_Fader，Post_Onの中から一の信号を、ダイレクトアウト用の音声信号として選択する。１７３はオン／オフ設定部であり、セレクタ１７２にて選択された音声信号を後段の構成要素に供給する場合にはオン状態に設定され、供給しない場合はオフ状態に設定される。オン／オフ設定部１７３に設定されるオン／オフ状態は、操作子群２２またはタッチパネル２６における操作によって任意に設定することができる。１７４はレベル設定部であり、オン／オフ設定部１７３から出力された音声信号に付与されるゲインをユーザ操作に基づいて設定する。レベル設定部１７４に設定されるゲインは、操作子群２２またはタッチパネル２６における操作によって任意に設定することができる。
【００２０】
１７６はオン連動部であり、主系統部１５０−１のオン／オフ設定部１６２に連動してそのオン／オフ状態が設定される。１７８はフォローオンスイッチであり、そのオン／オフ状態は操作子群２２またはタッチパネル２６における操作によって任意に設定することができる。フォローオンスイッチ１７８はオン状態にされると、オン連動部１７６の出力信号を選択し、オフ状態（図示の状態）に設定されると、オン連動部１７６への入力信号を選択し、選択した信号を出力する。換言すれば、フォローオンスイッチ１７８は、オン連動部１７６の有効／無効を切り替えるスイッチになる。
【００２１】
１８０はフェーダ連動部であり、主系統部１５０−１のフェーダ部１６０に連動してゲインを設定する。すなわち、入力された音声信号に対して、主系統部１５０−１に設定されているゲインと同一値のゲインを付与して出力する。１８２はフォローフェーダスイッチであり、そのオン／オフ状態は操作子群２２またはタッチパネル２６における操作によって任意に設定することができる。フォローフェーダスイッチ１８２はオン状態にされると、フェーダ連動部１８０の出力信号を選択し、オフ状態（図示の状態）に設定されると、フェーダ連動部１８０への入力信号を選択し、選択した信号を出力する。換言すれば、フォローフェーダスイッチ１８２は、フェーダ連動部１８０の有効／無効を切り替えるスイッチになる。
【００２２】
１８４はＤＣＡ連動部であり、ＤＣＡ制御部１１７において当該入力チャンネル（第１入力チャンネル）に付与されるゲインと同一値のゲインを、入力された音声信号に付与する。すなわち、当該入力チャンネルが何れかのＤＣＡフェーダに割り当てられている場合は当該ＤＣＡフェーダによって設定されたゲインがＤＣＡ連動部１８４に設定され、当該入力チャンネルが何れのＤＣＡフェーダにも割り当てられていない場合には、０[ｄＢ]のゲインがＤＣＡ連動部１８４に設定される。１８６はフォローＤＣＡスイッチであり、そのオン／オフ状態は操作子群２２またはタッチパネル２６における操作によって任意に設定することができる。フォローＤＣＡスイッチ１８６は、オン状態にされると、ＤＣＡ連動部１８４の出力信号を選択し、オフ状態（図示の状態）に設定されると、ＤＣＡ連動部１８４への入力信号を選択し、選択した信号をダイレクトアウト信号ＳＤ−１として出力する。換言すれば、フォローＤＣＡスイッチ１８６は、ＤＣＡ連動部１８４の有効／無効を切り替えるスイッチになる。
【００２３】
以上のダイレクトアウト設定部１７０−１の構成によれば、「オン／オフ設定部１７３とオン連動部１７６とが共にオン状態であるとき」、「オン／オフ設定部１７３がオン状態であってフォローオンスイッチ１７８がオフ状態であるとき（図示の状態）」の何れかの場合にダイレクトアウト信号ＳＤ−１はオン状態になり、これら以外の場合においては、ダイレクトアウト信号ＳＤ−１はオフ状態になる。また、セレクタ１７２にて選択された音声信号に対して最終的に付与されるゲインは、フォローオンスイッチ１７８およびフォローＤＣＡスイッチ１８６が何れもオン状態であれば、レベル設定部１７４に設定されるゲインと、フェーダ連動部１８０に設定されるゲインと、ＤＣＡ連動部１８４に設定されるゲインとを合せた値（ログスケールではこれらゲインを加算した値）になる。
【００２４】
次に、第１ＭＩＸセンド設定部１９０−１−１は、構成要素１９２〜２０６によって構成され、これらは上述したダイレクトアウト設定部１７０−１の構成要素１７２〜１８６と同様である。すなわち、セレクタ１９２においては、各信号Pre_HPF，Pre_PEQ，Pre_Dyna，Pre_Delay，Pre_Fader，Post_Fader，Post_Onの中から一の信号が選択され、オン／オフ設定部１９３およびレベル設定部１９４においては、各々、該信号のオン／オフ状態およびレベルが設定される。また、オン連動部１９６およびフェーダ連動部２００においては、各々主系統部１５０−１のオン／オフ設定部１６２およびフェーダ部１６０に連動して、オン／オフ状態およびゲインが設定され、これらの有効／無効状態は、各々フォローオンスイッチ１９８およびフォローフェーダスイッチ２０２において設定される。
【００２５】
また、ＤＣＡ連動部２０４にあっては、ＤＣＡ制御部１１７において当該入力チャンネルに付与されるゲインと同一値のゲインが設定され、その有効／無効状態はフォローＤＣＡスイッチ２０６によって設定される。そして、このフォローＤＣＡスイッチ２０６から出力される音声信号は、第１入力チャンネルからＭＩＸバス１１６−１に供給されるＭＩＸセンド信号ＳＳ−１−１になる。上記各構成要素１９２，１９３，１９４，１９８，２０２，２０６に設定されるオン／オフ状態またはゲインは、操作子群２２またはタッチパネル２６における操作によってユーザが任意に設定することができる。
上述したように、図示せぬ第２〜第９６ＭＩＸセンド設定部１９０−１−２〜１９０−１−９６の構成は第１ＭＩＸセンド設定部１９０−１−１と同様であり、各々第１入力チャンネルからＭＩＸバス１１６−Ｍ（１≦Ｍ≦９６）に供給されるＭＩＸセンド信号ＳＳ−１−Ｍを出力する。
さらに、他の入力チャンネル調整部１１２−Ｎ（１≦Ｎ≦１２８）においても、入力チャンネル調整部１１２−１と同様に、主系統部１５０−Ｎ、ダイレクトアウト設定部１７０−Ｎ、および第１〜第９６ＭＩＸセンド設定部１９０−Ｎ−１〜１９０−Ｎ−９６が設けられている。
【００２６】
3．実施例の動作
図３に示した構成において、例えば、セレクタ１７２にて信号Pre_HPFを選択すると、主系統部１５０−１におけるフィルタ部１５２，１５３、パラメトリックイコライザ部１５４、ダイナミクス設定部１５６およびディレイ部１５８の影響を全く受けていないダイレクトアウト信号ＳＤ−１を生成することができる。
ここで、フォローオンスイッチ１７８をオン状態にすると、該ダイレクトアウト信号ＳＤ−１を主系統部１５０−１のオン／オフ設定部１６２に連動させて自動的にオン／オフすることができる。また、フォローフェーダスイッチ１８２をオン状態に設定すると、ダイレクトアウト信号ＳＤ−１の信号レベルを、主系統部１５０−１のフェーダレベルに連動して自動的に増減させることができる。さらに、フォローＤＣＡスイッチ１８６をオン状態にすると、ダイレクトアウト信号ＳＤ−１の信号レベルを、第１入力チャンネルに割り当てられたＤＣＡフェーダに連動して自動的に増減させることができる。
この点は、第１〜第９６ＭＩＸセンド設定部１９０−１−１〜１９０−１−９６においても同様であり、フィルタ部１５２，１５３等の影響を除外しつつ、フィルタ部１５２，１５３の後段にあるフェーダ部１６０、オン／オフ設定部１６２等の設定状態をＭＩＸセンド信号ＳＳ−１−１〜ＳＳ−１−９６に反映させることができる。
【００２７】
4．変形例
本発明は上述した実施例に限定されるものではなく、例えば以下のように種々の変形が可能である。
(1)上記実施例においては、デジタルミキサに設定されるプログラムによって各種動作を実現したが、このプログラムのみをＣＤ−ＲＯＭ、メモリカード等の記録媒体に格納して頒布し、あるいは伝送路を通じて頒布することもできる。
【００２８】
(2)また、上記実施例は本発明をデジタルミキサに適用した例を説明したが、本発明は、アナログ音声信号に対して増幅、切替等の処理を行うアナログミキサに適用してもよい。
【符号の説明】
【００２９】
１：デジタルミキサ、２：ＡＤコンバータ、４：ＤＡコンバータ、６：デジタル入力部、７：デジタル出力部、８：音声バス、１０：エフェクタ群、１２：ＤＳＰ、１４：通信バス、１６：通信インタフェース、１８：通信Ｉ／Ｏ部、２０：検出／制御インタフェース、２２：操作子群、２４：操作／表示インタフェース、２６：タッチパネル、２８：ＣＰＵ、３０：ＲＯＭ、３２：ＲＡＭ、１０８：入力パッチ部、１１２，１１２−１〜１１２−１２８：入力チャンネル調整部、１１６：ＭＩＸバス群、１１６−１〜１１６−９６：ＭＩＸバス、１１７：ＤＣＡ制御部、１１８：ステレオバス（主系統バス）、１２０：ステレオ出力チャンネル部（主系統出力調整部）、１２２：ＭＩＸ出力チャンネル部（ＭＩＸ出力調整部）、１２６：出力パッチ部、１５０−１：主系統部、１５２：ハイパスフィルタ部、１５３：ローパスフィルタ部、１５４：パラメトリックイコライザ部、１５６：ダイナミクス設定部、１５８：ディレイ部、１６０：フェーダ部（主系統ゲイン調節部）、１６２：オン／オフ設定部（主系統オンオフ部）、１６４：ＰＡＮ設定部、１７０−１：ダイレクトアウト設定部、１７２，１９２：セレクタ（信号選択部）、１７３，１９３：オン／オフ設定部（独立オンオフ部）、１７４，１９４：レベル設定部、１７６，１９６：オン連動部（連動オンオフ部）、１７８，１９８：フォローオンスイッチ（連動オンオフ可否選択手段）、１８０，２００：フェーダ連動部（連動ゲイン設定部）、１８２，２０２：フォローフェーダスイッチ（連動ゲイン可否選択手段）、１８４，２０４：ＤＣＡ連動部、１８６，２０６：フォローＤＣＡスイッチ、１９０−１−１：第１ＭＩＸセンド設定部。
【図１】
0005402773.tif 000002
【図２】
0005402773.tif 000003
【図３】
0005402773.tif 000004